(57)【要約】【課題】  室内に面して使用される内装材の温度を、簡易な構造で建物の断熱性能に応じて予想される各部位ごとの温度に可変し、被験者が建物の断熱性能を擬似的に体感できる断熱性能体感装置を提供することを目的とする。【解決手段】  断熱性能体感装置１は、室内に面して使用される板状の内装材２の温度を調整し、建物の各部位ごとの内装材２の断熱性能を擬似的に体感する装置であって、建物のいずれかの部位に用いられる内装材２の裏面２２側に内装材２と間隔を空けて設置され、内装材２を加熱又は冷却する加熱冷却手段と、内装材２を内装材２の裏面２２側から支持し、加熱冷却手段３と内装材２との間に形成される空間Ｓの体積を増減可能なスペーサー材４と、を備える。【選択図】図６
2019179212.tif 000002
【特許請求の範囲】
【請求項１】
室内に面して使用される板状の内装材の温度を調整し、建物の各部位ごとの内装材の断熱性能を擬似的に体感する断熱性能体感装置であって、
建物のいずれかの部位に用いられる前記内装材の裏面側に該内装材と間隔を空けて設置され、該内装材を加熱又は冷却する加熱冷却手段と、
前記内装材を該内装材の裏面側から支持し、前記加熱冷却手段と前記内装材との間に形成される空間の体積を増減可能なスペーサー材と、を備えることを特徴とする断熱性能体感装置。
【請求項２】
前記加熱冷却手段は、ペルチェ素子を用いたペルチェユニットであることを特徴とする請求項１に記載の断熱性能体感装置。
【請求項３】
前記スペーサー材は、板状の断熱材であることを特徴とする請求項１又は請求項２に記載の断熱性能体感装置。
【請求項４】
前記加熱冷却手段は前記内装材の裏面側に複数並列して設けられることを特徴とする請求項１から請求項３のいずれかに記載の断熱性能体感装置。
【請求項５】
前記加熱冷却手段を載置する底板と、該底板の端縁から垂直方向へ延び、上端が前記内装材の表面よりも上方に位置する複数の側板と、を備えた上方に開放する持運び自在な箱部材に設置されることを特徴とする請求項１から請求項４のいずれかに記載の断熱性能体感装置。
【請求項６】
前記箱部材に設置される内装材が、内床材であり、前記箱部材を載置する床面に対して傾斜していることを特徴とする請求項５に記載の断熱性能体感装置。
【発明の詳細な説明】
【技術分野】
【０００１】
本発明は、室内に面して使用される内装材の温度を調整し、建物の各部位ごとの断熱性能を擬似的に体感する断熱性能体感装置に関する。
【背景技術】
【０００２】
従来より住宅の展示場において、図９に示されるような建物の断熱性能を擬似的に体感するための体感施設Ｘが設置されることがある。建物の室内外空間を模して形成される体感施設Ｘは、互いに異なる断熱性能を有した複数の室空間Ｙ及び室空間Ｙを取り囲む外周囲空間Ｚから構成され、外周囲空間ＺはエアーコンディショナーＺ１によって温度管理することにより様々な季節の外気温を再現される。室空間Ｙに入室した被験者Ａは、室空間Ｙの断熱性能によって室空間Ｙの室温が外周囲空間Ｚの外気温からどのような影響を受けるかを擬似的に体感することができ、建物の断熱性について理解を深めることができる。
【０００３】
上述のような体感施設Ｘは、通常の建物で使用されるようなエアーコンディショナーＺ１で外周囲空間Ｚ内の温度を管理する必要があるため、空調設備設置費用やエネルギー負荷が高くなるという問題があった。
【０００４】
ところで、近年は２種の金属板の接合部に電流を流すと一方の金属板から他方の金属板へ熱移動が生じるペルチェ素子を床、壁、天井内部に仕込み、電子的な輻射熱によって室内を冷暖房する装置が提案されている（例えば、特許文献１、特許文献２、特許文献３）。これらの装置は冷媒や室外機を必要とせず、電流を流すだけで室内を冷暖房することができるため、上述の外周囲空間Ｚに適用すれば体感施設Ｘの空調設備設置費用を抑えるとともに空調設備のエネルギー負荷を低減することができる。
【先行技術文献】
【特許文献】
【０００５】
【特許文献１】特開２０００−３０４３７２
【特許文献２】特開平１１−７２２７５
【特許文献３】特開平８−８６４６１
【発明の概要】
【発明が解決しようとする課題】
【０００６】
しかしながら体感施設Ｘは、被験者Ａが入室できる程度の室空間Ｙと室空間Ｙを取り囲む外周囲空間Ｚとで構成されていることから、ある程度まとまった空間が必要であり設置場所の確保が難しく、さらに、実際の建物の室内空間を再現するために室空間Ｙの各所の納まりを丁寧に仕上げて気密性を保持しなければならず、施工手間を省くことができない。また、特許文献１から３に記載の冷暖房装置はいずれも室温を調整するための複雑な温度制御装置を設置しなければならず、設置手間や費用がかかる。
【０００７】
そこで、本発明は、上述した課題を鑑みてなされたものであって、室内に面して使用される内装材の温度を、簡易な構造で建物の断熱性能に応じて予想される各部位ごとの温度に可変し、従来のようなまとまった空間を必要とせずに被験者が建物の断熱性能を擬似的に体感できる断熱性能体感装置を提供することを目的とする。
【課題を解決するための手段】
【０００８】
本発明の第１の断熱性能体感装置は、室内に面して使用される板状の内装材の温度を調整し、建物の各部位ごとの前記内装材の断熱性能を擬似的に体感する断熱性能体感装置であって、建物のいずれかの部位に用いられる前記内装材の裏面側に該内装材と間隔を空けて設置され、該内装材を加熱又は冷却する加熱冷却手段と、前記内装材を該内装材の裏面側から支持し、前記加熱冷却手段と前記内装材との間に形成される空間の体積を増減可能なスペーサー材と、を備えることを特徴としている。
【０００９】
本発明の第２の断熱性能体感装置は、前記加熱冷却手段が、ペルチェ素子を用いたペルチェユニットであることを特徴としている。
【００１０】
本発明の第３の断熱性能体感装置は、前記スペーサー材が、板状の断熱材であることを特徴としている。
【００１１】
本発明の第４の断熱性能体感装置は、前記加熱冷却手段は前記内装材の裏面側に複数並列して設けられることを特徴としている。
【００１２】
本発明の第５の断熱性能体感装置は、前記加熱冷却装置を載置する底板と、該底板の端縁から垂直方向へ延び、上端が前記内装材の表面よりも上方に位置する複数の側板と、を備えた上方に開放する持運び自在な箱部材に設置されることを特徴としている。
【００１３】
本発明の第６の断熱性能体感装置は、前記箱部材に設置される前期内装材が、内床材であり、前記箱部材を載置する床面に対して所定の角度で傾斜しているを特徴としている。
【発明の効果】
【００１４】
本発明の第１の断熱性能体感装置によると、加熱冷却手段は、内装材と間隔を空けて設置されるので、加熱冷却手段によって加熱又は冷却された空間の空気が内装材に伝達されて内装材の温度が可変する。したがって、スペーサー材の体積を調整して空間の体積を増やすと内装材は加熱又は冷却されにくくなり、反対に空間の体積を減らすと内装材は加熱又は冷却されやすくなるため、スペーサー材の体積を調整すだけで容易に内装材の温度を調整することができる。したがって、内装材の温度が、建物の断熱性能に応じて予想される体感したい各部位ごとの内装材の表面温度と略同一となるように予めスペーサー材の体積を調整して空間の体積を増減しておけば、内装材の温度を制御するための複雑な温度制御装置を設けることなく、建物の各部位ごとの断熱性能を擬似的に体感することができる。また、従来のように建物の断熱性能を体感するためのまとまった空間を要しないので、経済性に優れた体感装置とすることができる。
【００１５】
本発明の第２の断熱性能体感装置によると、加熱冷却手段はペルチェ素子を用いたペルチェユニットであるので、短時間で空間を加熱又は冷却して内装材を所望する温度に可変することができる。また、直流電流を流すだけでペルチェ素子が空間を加熱又は冷却するので、エネルギー負荷が少なく簡易な構造で建物の各部位ごとの断熱性能を擬似的に体感することができる。
【００１６】
本発明の第３の断熱性能体感装置によると、スペーサー材は成形された断熱材であるので、加熱冷却手段によって加熱又は冷却された空間の空気の温度が外部空間の温度の影響を受けて変化することを防止できる。また、状況に応じて容易にスペーサー材の体積を調整することができる。
【００１７】
本発明の第４の断熱性能体感装置によると、加熱冷却手段は内装材の裏面側に複数並列して設けられるので、設置するスペーサー材の体積を調整して各々の加熱冷却手段と内装材との間の空間の体積を異ならせることにより内装材の温度を可変することができ、被験者は建物の各部位ごとの様々な断熱性能を一度に比較することができる。
【００１８】
本発明の第５の断熱性能体感装置によると、断熱性能体感装置を設置する箱部材は、加熱冷却装置を載置する底板と、底板の端縁から垂直方向へ延び、上端が内装材の表面よりも上方に位置する複数の側板と、を備えているので、内装材を加熱冷却手段によって冷却すると、冷輻射作用によって内装材の上部に冷気が溜まる。したがって、内装材を内床材とした場合、被験者は箱部材の上方から内装材の表面に足裏を当接させることで、冬場の内床材付近に生じる冷気溜まりを実際の状況に近い形で体感することができる。また、箱部材は持運び自在であるので、断熱性能体感装置を所望する場所へ移動させることができ、利便性を向上させることができる。
【００１９】
本発明の第６の断熱性能体感装置によると、箱部材に設置される内装材が、内床材であり、箱部材を載置する床面に対して所定の角度で傾斜しているので、被験者から見て内装材の手前側が下方へ傾斜するように箱部材を床面に設置すると、被験者は座位状態で楽に足裏を内装材の表面に置くことができる。また、加熱冷却装置によって内装材を冷却すると、内装材の上部に生じる冷気が内装材の傾斜に沿って下方へ下りるので、冬場の内床材付近に生じる冷気溜まりを効率的に再現することができる。
【図面の簡単な説明】
【００２０】
【図１】断熱性能体感装置を示す側面図。
【図２】断熱性能体感装置を示す平面図。
【図３】断熱性能体感装置の分解斜視図及び箱部材を示す斜視図。
【図４】加熱冷却手段を示す斜視図。
【図５】図２のＡ−Ａ断面図。
【図６】図２のＢ−Ｂ断面図。
【図７】断面視Ｔ形の空間を形成された断熱性能体感装置。
【図８】内装材を傾斜させた断熱性能体感装置を示す断面図。
【図９】従来の断熱性能の体感施設を示す概略斜視図。
【発明を実施するための形態】
【００２１】
以下、断熱性能体感装置の最良の実施形態について各図を参照しつつ説明する。断熱性能体感装置１は、実際に建物の室内に面して使用される内装材２の温度を、建物の断熱性能に応じて予想される各部位毎の内装材の表面温度と略同一とすることで建物の断熱性能を擬似的に体感するための装置であり、主に冬場における住宅の床の断熱性能を体感することを目的としている。図１及び図２に示すように、断熱性能体感装置１は、内装材２の裏面２２側に内装材２と間隔を空けて設置され、内装材２を加熱又は冷却する加熱冷却手段３と、内装材２を内装材２の裏面２２側から支持し、加熱冷却手段３と内装材２との間に形成される空間Ｓの体積を増減可能なスペーサー材４と、を備えており、上方に開放できる持運び可能な箱部材５に嵌め込まれて設置される。
【００２２】
この実施形態において、内装材２は、建物の室内に面して使用される部位が床である内床材の場合について説明する。内装材２は、例えば一般的な住宅に使用される板状のフローリング材や畳などで構成され、図３に示すように、内装材２の室内に面しない方の面である裏面２２側の両端には長尺な一対の桟材２１が固定されている。
【００２３】
加熱冷却手段３は、内装材２の裏面２２側に設置され、図３及び図４に示すように、ペルチェ素子を利用した市販品のペルチェユニットで形成され、平板状のペルチェ素子３１、ペルチェ素子３１の一方の面３２側に設置される第１ヒートシンク３ａ、ペルチェ素子３１の他方の面３３側に設置される第２ヒートシンク３ｂ、各ヒートシンク３ａ、３ｂのペルチェ素子３１と反対側の面にそれぞれ設置される羽根を有した第１ファン３ｃ、及び第２ファン３ｄ（羽根は図示せず）によって構成されている。なお、図３では加熱冷却手段３を２つ並べて配置しているが、加熱冷却手段３の数は１でもよいし２以上でもよい。
【００２４】
ペルチェ素子３１には、両面３２、３３を構成する放熱板の間に異なる２つの半導体と金属電極とが交互に挟まれており、直流電流を流すと、一方の面３２から他方の面３３へ熱移動が生じて一方の面３２が吸熱するとともに他方の面３３が発熱し、また、電流の流す方向を逆にすると熱移動の流れが逆転して一方の面３２が発熱して他方の面３３が吸熱するものである。櫛形箱状の第１ヒートシンク３ａ及び第２ヒートシンク３ｂは、ペルチェ素子３１表面の熱を各ファン３ｃ及び３ｄに運ぶための部材で、第１ファン３ｃ及び第２ファン３ｄは、各ヒートシンク３ａ及び３ｂから伝達された冷気又は熱気を排出する部材である。
【００２５】
例えば、ペルチェ素子３１の一方の面３２から他方の面３３へ向けて熱移動が生じると、一方の面３２は吸熱して第１ヒートシンク３ａが冷却され、第１ファン３ｃは冷気を排出することができ、反対に他方の面３３は発熱して第２ヒートシンク３ｂの温度が上昇し、第２ファン３ｄは熱気を排出することができる。そして、ペルチェ素子３１に流す電流の向きを逆にすると第１ファン３ｃからは熱気が排出され、第２ファン３ｄからは冷気が排出される。このように、加熱冷却手段３にペルチェユニットを用いることにより、短時間で熱作用を起こすことが可能であるとともに、エネルギー負荷が少なく簡易な構造の体感装置とすることができる。また図示していないが、加熱冷却手段３はペルチェ素子３１に直流電流を流すための直流電源と接続しており、ペルチェユニットの冷却又は加熱能力は、再現したい内装材２の温度に応じて最適な能力のものを選定することができる。なお、加熱冷却手段３はペルチェユニットに限定するものではなく、同様の効果を得ることができればその他の手段を用いてもよい。
【００２６】
スペーサー材４は、図３及び図５に示すように、ペルチェ素子３１、第１ヒートシンク３ａ、及び第１ファン３ｃの周囲に設置され、第１ファン３ｃよりも上方へ突出して内装材２を裏面２２側から支持する平板状の部材であり、ペルチェ素子３１、第１ヒートシンク３ａ、及び第１ファン３ｃを挿通可能な大きさの孔４１を互いに整合させた状態で複数積層して使用され、最も上部のスペーサー材４は、内装材２の桟材２１を嵌め込むための切欠き４０を有している。スペーサー材４は、断熱性能の高い部材で形成されることが望ましく、特に硬質ウレタンフォームやポリスチレンフォーム、及びフェノールフォーム等の発泡プラスチックで形成された断熱材が好適である。このようにスペーサー材４を断熱性能の高い部材とすることで、加熱冷却手段３の熱作用が、箱部材５の周辺温度の影響を受けて低下することを防ぐことができる。なお、スペーサー材４は、必ずしも平板状である必要はなく、上述の機能を果たせるのであれば他の形状としてもよい。
【００２７】
図３及び図５に示すように、断熱性能体感装置１を箱部材５に設置する場合は、加熱冷却手段３、スペーサー材４、内装材２の順に積み重ねて設置される。箱部材５は、加熱冷却手段３を載置する底板５１と、底板５１の両端縁から垂直方向へ延びる一対の側板５２と、底板５１と垂直方向へ間隔を空け、両端縁を一対の側板５２に挟まれて固定される板材５３と、によって構成される。
【００２８】
底板５１は、加熱冷却手段３を設置した際に第２ファン３ｄの下端が当接する部材であり、第２ファン３ｄによって排出される熱気又は冷気が篭ることを防止するために排気孔５１ａを設けている。また、一対の側板５２は、加熱冷却手段３を底板５１に載置した際に、上端が内装材２の室内に面する方の面である表面よりも上方へ突出する長さを有しており、内装材２の表面から側板５２の上端までの長さは、例えば５０ｍｍ〜１００ｍｍ程度とすることができる。板材５３は、断熱性能体感装置１を箱部材５に設置した際にスペーサー材４を支持する板材で、第２ヒートシンク３ｂ及び第２ファン３ｄを挿通可能な挿通孔５３ａを有している。
【００２９】
箱部材５の大きさは、加熱冷却手段３の数や大きさによって変化するが、図３に示すように、２つの加熱冷却手段３を設置した場合、例えば側板５２の長さを２５０〜３５０ｍｍ程度、一対の側板５２間の距離を３００ｍｍ〜３５０ｍｍ程度、側板５２の高さを２００ｍｍ〜３００ｍｍ程度とすることができる。このような大きさであれば、被験者が左右の足裏を一度に内装材２の表面に当接させることができる。
【００３０】
次に、断熱性能体感装置１を箱部材５に設置する手順について説明する。図３及び図５に示すように、加熱冷却手段３の第２ファン３ｄ及び第２ヒートシンク３ｂを挿通孔５３ａに挿入し、底板５１に加熱冷却手段３を載置する。このとき、底板５１の排気孔５１ａ及び第２ファン３ｄの位置は合致している。そして、孔４１にペルチェ素子３１、第１ヒートシンク３ａ、及び第１ファン３ｃを挿入しながらスペーサー材４を板材５３に載置し、最も上部のスペーサー材４の上面が第１ファン３ｃの上端よりも上方へ突出するまでスペーサー材４を積層して最後に内装材２の桟材２１を最上部のスペーサー材４の切欠き４０に嵌め込む。
【００３１】
このとき、図５及び図６に示すように、加熱冷却手段３と内装材２との間にはスペーサー材４によって空間Ｓが形成され、スペーサー材４の積層枚数を調整することによって、この空間Ｓの体積を増減するとともに第１ファン３ｃと内装材２との離隔距離を変えることができる。なお空間Ｓは、図７に示すように、ペルチェ素子３１とスペーサー材４との間の隙間にスペーサー材４と同一の材料で形成された充填物４２を詰めることにより体積を調整されてもよい。また、内装材２はスペーサー材４に固定して安定させても良いし、取り外し可能として状況に応じスペーサー材４の積層枚数を増減できるようにしてもよい。
【００３２】
空間Ｓは、図５に示すように、第１ファン３ｃから排出される冷気又は熱気を受けて冷却又は加熱され、内装材２は、空間Ｓの冷却又は加熱された空気が伝達して冷却又は加熱される。したがって、加熱冷却手段３の一方の面３２の温度と内装材２の空間Ｓに接する表面積が一定の場合、スペーサー材４を多く積層して空間Ｓの体積を増やすとともに第１ファン３ｃと内装材２との離隔距離が広げると、加熱冷却手段３の冷却又は加熱する体積が増加するとともに内装材２が第１ファン３ｃから離れるので、内装材２の温度は加熱冷却手段３からの熱移動の影響を受けづらくなり、反対に、スペーサー材４をあまり積層せず空間Ｓの体積を減らして第１ファン３ｃと内装材２との離隔距離を縮めると、加熱冷却手段３の冷却又は加熱する体積が減少するとともに内装材２が第１ファン３ｃに近づくので、内装材２の温度は加熱冷却手段３からの熱移動の影響を大きく受けることになる。このように、内装材２の温度は、空間Ｓの体積及び内装材２と第１ファン３ｃとの離隔距離を変えることにより調整できるので、複雑な温度制御器を設置する必要がなく、簡易な構造の断熱性能体感装置１とすることができる。なお、必要に応じて断熱性能体感装置１に温度制御装置を接続し、内装材２の温度を細やかに制御してもよい。
【００３３】
また、図５及び図６では最も上部のスペーサー材４が内装材２の裏面２２に当接しているが、図７に示すように、最上部のスペーサー材４に切欠き４０を設けず、桟材２１を最上部のスペーサー材４の上面に載置して内装材２と最上部のスペーサー材４との間に隙間を形成し、断面視Ｔ形の空間Ｓを形成してもよい。空間Ｓを断面視Ｔ字形とすることにより、内装材２全体を効果的に冷却又は加熱することができる。なお、断熱性能体感装置１は、必ずしも箱部材５に設置する必要はなく、状況に応じて床面や壁面にそのまま設置してもよい。
【００３４】
続いて、断熱性能体感装置１の使用の仕方について説明する。なお、ここでは冬場における断熱性能の低い建物の内床材の状態を疑似体験するために、内装材２を冷却する場合について説明する。まず、内装材２を冷却した際に、内装材２の温度が予めデータ採取しておいた冬場に想定される内床材の表面温度と近似するようスペーサー材４の積層枚数を増減して空間Ｓの体積を調整する。そして、直流電源（図示しない）より加熱冷却装置３のペルチェ素子３１に直流電流を流すと一方の面３２から他方の面３３に熱移動が生じ、一方の面３２が吸熱して第１ヒートシンク３ａが冷却され、第１ファン３ｃから冷気が排出されるとともに他方の面３３が発熱して第２ヒートシンク３ｂが加熱され、第２ファン３ｄから熱気が排出される。そして、内装材２は、第１ファン３ｃからの冷気によって冷やされた空間Ｓの空気を受けて冷却される。
【００３５】
被験者は、図５及び図６に示すように、冷却した内装材２の表面に左右の足裏を当接させ、冬場の冷えた内床材を擬似的に体感することができる。このとき、箱部材５の側板５２が、その上端を内装材２の表面よりも上方へ突出させているので、内装材２の上部には冷輻射作用により冷えた空気が溜まり、冬場の内床材付近に生じる冷気溜りを再現することができる。特に内装材２の表面から側板５２の上端までの長さを５０ｍｍ〜１００ｍｍ程度としておけば、冷気溜りが被験者の足首あたりまでを冷やすため、被験者は冬場の不快な冷気を実際の状況に近い形で体感することができる。
【００３６】
なお、図６では両方の加熱冷却手段３の周囲に形成されるそれぞれの空間Ｓの体積を同一としているが、各々の空間Ｓの体積を異ならせてもよい。例えば、一方の加熱冷却手段３の上部に位置する内装材２の温度を断熱性能の低い内床材の表面温度となるように体積Ｓを増加させ、他方の加熱冷却手段３の上部に位置する内装材２の温度を断熱性能の高い内床材の表面温度となるように体積Ｓを減少させれば、被験者は内装材２の断熱性能の違いを一度に体感することができる。このとき、それぞれの断熱性能を備えた床の断面外略図を側板に貼着しておけば、被験者はより断熱性能に対する理解を深めることができる。
【００３７】
また、図８に示すように、箱部材５を床面Ｆに設置する場合、底板５１を床面Ｆに対し傾斜させて断熱性能体感装置１全体を傾け、被験者から見て内装材２の手前側が下方へ傾斜するように断熱性能体感装置１を設置すると、被験者は座位状態で楽に足裏を内装材２の表面に置くことができる。また、加熱冷却装置３によって内装材２を冷却すると、内装材２の上部に生じる冷気が内装材２の傾斜に沿って下方へ下りるので、冬場の内床材付近に生じる冷気溜まりを効率的に再現することができる。
【００３８】
このように、断熱性能体感装置１は、スペーサー材４の積層枚数を増減して内装材２の温度を空間Ｓの体積を調整することにより変化させることができるので、複雑な温度制御装置を設ける必要がなく、簡易な構造で建物の断熱性能を体感することができる。また、断熱性能体感装置１を移動可能な箱部材５に設置することにより、従来の体感施設のようにまとまった空間を確保したり、実際の室内空間のように各部材同士の接合部を気密性を考慮した複雑な形状とする必要がなく、簡易な構造で被験者に建物の断熱性能を体感してもらうことができるので、利便性及び経済性に優れた体感装置とすることができる。
【００３９】
なお、本実施形態では内装材２を冷却する場合について説明を行ったが、ペルチェ素子３１に流す直流電流の方向を変え、内装材２を加熱して被験者に床暖房の疑似体験をしてもらってもよい。その際はスペーサー材４の材質を断熱性に加えて耐熱性に優れた部材とすることが望ましい。また、本実施形態では、内装材２が内床材である場合について説明したが、内装材２は内床材に限らず板状の内壁材や天井材としてもよい。内装材２が内壁材や天井材である場合は、例えば、木板材や表面に壁紙クロスを貼着した石膏ボードとすることができる。このとき、内装材２を先述したように取り外し可能としておけば、１つの装置で建物の複数部位の断熱性能を体感することができる。
【００４０】
また、本発明の実施の形態は上述の形態に限ることなく、本発明の思想の範囲を逸脱しない範囲で適宜変更することができる。
【産業上の利用可能性】
【００４１】
本発明に係る断熱性能体験装置は、住宅展示場や住宅体験施設において好適に使用することができる。
【符号の説明】
【００４２】
１      断熱性能体感装置
２      内装材
３      加熱冷却手段
３１    ペルチェ素子
４      スペーサー材
５      箱部材
５１    底板
５２    側板
【図１】
2019179212.tif 000003
【図２】
2019179212.tif 000004
【図３】
2019179212.tif 000005
【図４】
2019179212.tif 000006
【図５】
2019179212.tif 000007
【図６】
2019179212.tif 000008
【図７】
2019179212.tif 000009
【図８】
2019179212.tif 000010
【図９】
2019179212.tif 000011